(57)【要約】【課題】電源がオフ状態となった後にファームウェアの更新を行う際の消費電力を低減することが可能な放送信号受信装置を提供する。【解決手段】このテレビジョン装置１００（放送信号受信装置）は、テレビジョン放送信号と、ファームウェア情報信号とを受信可能な受信部１０と、テレビジョン装置１００のファームウェアの更新を行うことが可能なＣＰＵ４０とを備え、ＣＰＵ４０は、電源３０がオン状態で、かつ、通常動作状態となっている際に、ファームウェア情報信号を受信可能なチャンネルを特定するとともに、電源３０がオフ状態で、かつ、通常動作停止状態となった後に、ファームウェア情報信号を受信可能なチャンネルから受信部１０を介してファームウェアを取得することにより、テレビジョン装置１００のファームウェアの更新を行うように構成されている。【選択図】図１
2012191584.tif 000002
【特許請求の範囲】
【請求項１】
放送信号と、放送信号受信装置のファームウェアを含むファームウェア情報信号とを受信可能な受信部と、
前記放送信号受信装置のファームウェアの更新を行うことが可能な制御部とを備え、
前記制御部は、前記放送信号受信装置の電源がオン状態で、かつ、通常動作状態となっている際に、前記ファームウェア情報信号を受信可能なチャンネルを特定するとともに、前記放送信号受信装置の電源がオフ状態で、かつ、通常動作停止状態となった後に、前記放送信号受信装置の電源がオン状態で、かつ、通常動作状態となっている際に特定した前記ファームウェア情報信号を受信可能なチャンネルから前記受信部を介して前記ファームウェアを取得することにより、前記放送信号受信装置のファームウェアの更新を行うように構成されている、放送信号受信装置。
【請求項２】
前記制御部は、前記放送信号受信装置の電源がオン状態で、かつ、通常動作状態となっており、かつ、前記放送信号を受信可能なチャンネルのスキャニングを前記受信部を介して行う際に、前記放送信号を受信可能なチャンネルのスキャニングのみならず、前記ファームウェア情報信号を受信可能なチャンネルのスキャニングをも前記受信部を介して行うことにより、前記ファームウェア情報信号を受信可能なチャンネルを特定するように構成されている、請求項１に記載の放送信号受信装置。
【請求項３】
前記制御部は、前記放送信号受信装置の電源がオン状態で、かつ、通常動作状態となっており、かつ、前記受信部が使用されていない際に、前記ファームウェア情報信号を受信可能なチャンネルのスキャニングを前記受信部を介して行うことにより、前記ファームウェア情報信号を受信可能なチャンネルを特定するように構成されている、請求項１に記載の放送信号受信装置。
【請求項４】
前記ファームウェア情報信号は、前記ファームウェアの提供が開始される時刻を示す時刻情報をさらに含み、
前記制御部は、前記放送信号受信装置の電源がオン状態で、かつ、通常動作状態となっている際に特定した前記ファームウェア情報信号を受信可能なチャンネルの数が複数である場合に、複数の前記ファームウェア情報信号を受信可能なチャンネルのうち、前記ファームウェアの提供が開始される時刻の最も早いチャンネルから前記受信部を介して前記ファームウェアを取得するように構成されている、請求項１〜３のいずれか１項に記載の放送信号受信装置。
【請求項５】
前記制御部により特定された前記ファームウェア情報信号を受信可能なチャンネルを登録可能なチャンネルマップを記憶する記憶部をさらに備え、
前記制御部は、前記チャンネルマップに登録されたチャンネルの中に、前記放送信号受信装置の電源がオフ状態で、かつ、通常動作停止状態となった後において前記受信部を介して前記ファームウェア情報信号を受信できなかったチャンネルがある場合に、前記ファームウェア情報信号を受信できなかったチャンネルを前記記憶部に記憶された前記チャンネルマップから削除するように構成されている、請求項１〜４のいずれか１項に記載の放送信号受信装置。
【請求項６】
前記制御部は、前記ファームウェア情報信号を受信できなかったチャンネルを前記記憶部に記憶された前記チャンネルマップから削除することによって前記チャンネルマップ上に前記ファームウェア情報信号を受信可能なチャンネルが存在しなくなった場合に、前記ファームウェア情報信号を受信可能なチャンネルを再度特定するように構成されている、請求項５に記載の放送信号受信装置。
【発明の詳細な説明】
【技術分野】
【０００１】
この発明は、放送信号受信装置に関し、特に、ファームウェアの更新を行うことが可能な制御部を備える放送信号受信装置に関する。
【背景技術】
【０００２】
従来、ファームウェアの更新を行うことが可能な制御部を備える放送信号受信装置が知られている（たとえば、特許文献１参照）。
【０００３】
上記特許文献１には、ファームウェアの更新を行うことが可能なシステムコントローラ（制御部）を備える地上波デジタル放送受信機（放送信号受信装置）が開示されている。この地上波デジタル放送受信機では、システムコントローラは、ファームウェアの更新を行う場合、外部からの電力の供給が停止された後（電源がオフ状態となった後）に、ファームウェアを取得可能なチャンネルのスキャニングをチューナ（受信部）を介して行うことにより、ファームウェアを取得するチャンネルを特定するように構成されている。そして、システムコントローラは、ファームウェアを取得するチャンネルを特定した後、その特定したチャンネルからファームウェアをチューナを介して取得することにより、ファームウェアの更新を行うように構成されている。なお、このようにファームウェアの更新が行われる際に、システムコントローラには、地上波デジタル放送受信機の内部に設けられる蓄電池により電力が供給されている。
【先行技術文献】
【特許文献】
【０００４】
【特許文献１】特開２００４−３３６６４８号公報
【発明の概要】
【発明が解決しようとする課題】
【０００５】
しかしながら、上記特許文献１に開示された地上波デジタル放送受信機（放送信号受信装置）では、電源がオフ状態となった後にファームウェアを取得するチャンネルを特定するためのチャンネルのスキャニングが行われるため、電源がオフ状態となった後にファームウェアを取得するチャンネルを特定する処理のための消費電力分、電源がオフ状態となった後にファームウェアの更新を行う際の消費電力が増大するという問題点がある。
【０００６】
この発明は、上記のような課題を解決するためになされたものであり、この発明の１つの目的は、電源がオフ状態となった後にファームウェアの更新を行う際の消費電力を低減することが可能な放送信号受信装置を提供することである。
【課題を解決するための手段および発明の効果】
【０００７】
この発明の一の局面による放送信号受信装置は、放送信号と、放送信号受信装置のファームウェアを含むファームウェア情報信号とを受信可能な受信部と、放送信号受信装置のファームウェアの更新を行うことが可能な制御部とを備え、制御部は、放送信号受信装置の電源がオン状態で、かつ、通常動作状態となっている際に、ファームウェア情報信号を受信可能なチャンネルを特定するとともに、放送信号受信装置の電源がオフ状態で、かつ、通常動作停止状態となった後に、放送信号受信装置の電源がオン状態で、かつ、通常動作状態となっている際に特定したファームウェア情報信号を受信可能なチャンネルから受信部を介してファームウェアを取得することにより、放送信号受信装置のファームウェアの更新を行うように構成されている。
【０００８】
この発明の一の局面による放送信号受信装置では、上記のように、制御部を、電源がオン状態となっている際に、ファームウェア情報信号を受信可能なチャンネルを特定するように構成する。これにより、電源がオフ状態となった後にファームウェアを取得するチャンネルを特定するためのチャンネルのスキャニングを行う必要がないので、電源がオフ状態となった後にファームウェアの更新を行う際の消費電力を低減することができる。また、制御部を、通常動作状態となっている際に、ファームウェア情報信号を受信可能なチャンネルを特定するように構成することによって、通常動作状態となっている際における消費電力の範囲内でファームウェア情報信号を受信可能なチャンネルを特定することができる。これにより、消費電力を増大させることなく、ファームウェアを取得可能なチャンネルを特定することができる。
【０００９】
上記一の局面による放送信号受信装置において、好ましくは、制御部は、放送信号受信装置の電源がオン状態で、かつ、通常動作状態となっており、かつ、放送信号を受信可能なチャンネルのスキャニングを受信部を介して行う際に、放送信号を受信可能なチャンネルのスキャニングのみならず、ファームウェア情報信号を受信可能なチャンネルのスキャニングをも受信部を介して行うことにより、ファームウェア情報信号を受信可能なチャンネルを特定するように構成されている。このように構成すれば、放送信号受信装置の電源がオン状態で、かつ、通常動作状態となっている際に放送信号を受信可能なチャンネルのスキャニングを行う受信部を有効に利用して、ファームウェア情報信号を受信可能なチャンネルを特定することができる。また、通常動作状態となっている際における消費電力の範囲内でファームウェア情報信号を受信可能なチャンネルを特定することができるので、消費電力を増大させることなく、ファームウェアを取得可能なチャンネルを特定することができる。
【００１０】
上記一の局面による放送信号受信装置において、好ましくは、制御部は、放送信号受信装置の電源がオン状態で、かつ、通常動作状態となっており、かつ、受信部が使用されていない際に、ファームウェア情報信号を受信可能なチャンネルのスキャニングを受信部を介して行うことにより、ファームウェア情報信号を受信可能なチャンネルを特定するように構成されている。このように構成すれば、放送信号受信装置の電源がオン状態で、かつ、通常動作状態となっている際に使用されていない受信部を有効に利用して、ファームウェア情報信号を受信可能なチャンネルを特定することができる。また、通常動作状態となっている際における消費電力の範囲内でファームウェア情報信号を受信可能なチャンネルを特定することができるので、消費電力を増大させることなく、ファームウェアを取得可能なチャンネルを特定することができる。
【００１１】
上記一の局面による放送信号受信装置において、好ましくは、ファームウェア情報信号は、ファームウェアの提供が開始される時刻を示す時刻情報をさらに含み、制御部は、放送信号受信装置の電源がオン状態で、かつ、通常動作状態となっている際に特定したファームウェア情報信号を受信可能なチャンネルの数が複数である場合に、複数のファームウェア情報信号を受信可能なチャンネルのうち、ファームウェアの提供が開始される時刻の最も早いチャンネルから受信部を介してファームウェアを取得するように構成されている。このように構成すれば、ファームウェア情報信号を受信可能なチャンネルの数が複数である場合において、ファームウェアの提供が開始される時刻の最も早いチャンネルからファームウェアが取得されるので、ファームウェアの更新を行う際に、更新用のファームウェアを最も早い時刻に取得することができる。
【００１２】
上記一の局面による放送信号受信装置において、好ましくは、制御部により特定されたファームウェア情報信号を受信可能なチャンネルを登録可能なチャンネルマップを記憶する記憶部をさらに備え、制御部は、チャンネルマップに登録されたチャンネルの中に、放送信号受信装置の電源がオフ状態で、かつ、通常動作停止状態となった後において受信部を介してファームウェア情報信号を受信できなかったチャンネルがある場合に、ファームウェア情報信号を受信できなかったチャンネルを記憶部に記憶されたチャンネルマップから削除するように構成されている。このように構成すれば、ファームウェア情報信号を受信できなかったチャンネルがチャンネルマップから削除されるので、その後、ファームウェアの更新を行う際に、ファームウェア情報信号を受信できなかったチャンネルに改めて接続されるのを抑制することができる。
【００１３】
この場合、好ましくは、制御部は、ファームウェア情報信号を受信できなかったチャンネルを記憶部に記憶されたチャンネルマップから削除することによってチャンネルマップ上にファームウェア情報信号を受信可能なチャンネルが存在しなくなった場合に、ファームウェア情報信号を受信可能なチャンネルを再度特定するように構成されている。このように構成すれば、チャンネルマップ上にファームウェア情報信号を受信可能なチャンネルが存在しなくなった場合でも、ファームウェア情報信号を受信可能なチャンネルが再度特定されるので、ファームウェアが更新できなくなるのを抑制することができる。
【図面の簡単な説明】
【００１４】
【図１】本発明の第１および第２実施形態によるテレビジョン装置の構成を示したブロック図である。
【図２】本発明の第１実施形態によるテレビジョン装置のメモリに記憶されるチャンネルマップを示したイメージ図である。
【図３】本発明の第１実施形態によるテレビジョン装置によりファームウェア情報信号を受信可能なチャンネルが特定される際における制御部の制御動作を説明するためのフローチャートである。
【図４】本発明の第１および第２実施形態によるテレビジョン装置によりファームウェアの更新が行われる際における制御部の制御動作を説明するためのフローチャートである。
【図５】本発明の第２実施形態によるテレビジョン装置によりファームウェア情報信号を受信可能なチャンネルが特定される際における制御部の制御動作を説明するためのフローチャートである。
【発明を実施するための形態】
【００１５】
以下、本発明の実施形態を図面に基づいて説明する。
【００１６】
（第１実施形態）
まず、図１および図２を参照して、本発明の第１実施形態によるテレビジョン装置１００の構成について説明する。なお、テレビジョン装置１００は、本発明の「放送信号受信装置」の一例である。
【００１７】
本発明の第１実施形態によるテレビジョン装置１００は、図１に示すように、受信部１０と、外部入力部２０と、電源３０と、ＣＰＵ４０と、表示部５０と、映像処理部６０と、メモリ７０とを備えている。なお、ＣＰＵ４０およびメモリ７０は、それぞれ、本発明の「制御部」および「記憶部」の一例である。
【００１８】
受信部１０は、放送事業者により所定の帯域（チャンネル）を介して配信される電波（信号）をアンテナ２００を介して受信するように構成されている。第１実施形態では、受信部１０は、テレビジョン放送信号およびファームウェア情報信号を受信することが可能なように構成されている。ここで、ファームウェア情報信号とは、テレビジョン装置１００のファームウェアや、そのファームウェアの提供（配信）が開始される時刻を示す時刻情報などが信号化されたものである。
【００１９】
外部入力部２０は、テレビジョン装置１００の外部に設けられるＢＤ（Ｂｌｕ−Ｒａｙ  Ｄｉｓｃ）プレーヤ３００に接続されている。また、電源３０は、テレビジョン装置１００の外部に設けられる外部電源（図示せず）に接続されており、その外部電源から供給される電力をテレビジョン装置１００の各部に提供することが可能なように構成されている。以下では、テレビジョン装置１００の全体に電力が供給されている状態を通常動作状態（テレビジョン装置１００の映像表示機能を発揮可能な状態）と呼ぶ。また、テレビジョン装置１００の全体ではなく、テレビジョン装置１００の一部にのみ電力が供給されている状態を通常動作停止状態（テレビジョン装置１００の映像表示機能を発揮不可能な状態）と呼ぶ。
【００２０】
ＣＰＵ４０は、テレビジョン装置１００の各部の制御を行うように構成されている。たとえば、ＣＰＵ４０は、表示部５０の表示内容の制御を行うことが可能なように構成されている。具体的には、ＣＰＵ４０は、受信部１０により受信されたテレビジョン放送信号（外部入力部２０に接続されたＢＤプレーヤ３００により入力される映像信号）を映像処理部６０を介して表示部５０に出力することにより、表示部５０にテレビジョン放送（映像）を表示再生させることが可能なように構成されている。
【００２１】
また、ＣＰＵ４０は、テレビジョン放送信号を受信可能なチャンネルのスキャニングを受信部１０を介して行うことが可能なように構成されている。これにより、ＣＰＵ４０は、テレビジョン放送信号を受信可能なチャンネルを特定するように構成されている。なお、このようなテレビジョン放送信号を受信可能なチャンネルのスキャニングは、テレビジョン装置１００の電源３０がオン状態で、かつ、通常動作状態となっている時（一般的には、テレビジョン装置１００の初期設定時）に行われる。
【００２２】
ここで、第１実施形態では、ＣＰＵ４０は、上記のようなテレビジョン放送信号を受信可能なチャンネルのスキャニングを行う際に、テレビジョン放送信号を受信可能なチャンネルのスキャニングのみならず、ファームウェア情報信号を受信可能なチャンネルのスキャニングをも受信部１０を介して行うように構成されている。これにより、ＣＰＵ４０は、テレビジョン放送信号を受信可能なチャンネルのみならず、ファームウェア情報信号を受信可能なチャンネルをも特定するように構成されている。
【００２３】
上記のようにＣＰＵ４０により特定されたテレビジョン放送信号を受信可能なチャンネルおよびファームウェア情報信号を受信可能なチャンネルは、チャンネルマップ７１（図２参照）に登録される。このチャンネルマップ７１では、図２に示すように、テレビジョン放送信号を受信可能なチャンネルのチャンネル番号と、ファームウェア情報信号を受信可能なチャンネルのチャンネル番号とが互いに区別可能な状態で登録されている。
【００２４】
チャンネルマップ７１（図２参照）は、ＣＰＵ４０に接続されたメモリ７０（図１参照）に記憶されている。このチャンネルマップ７１は、テレビジョン放送信号を受信可能なチャンネルが特定された時点、または、ファームウェア情報信号を受信可能なチャンネルが特定された時点でＣＰＵ４０により作成される。
【００２５】
また、第１実施形態では、ＣＰＵ４０は、テレビジョン装置１００の電源３０がオフ状態で、かつ、通常動作停止状態となった後に、チャンネルマップ７１（図２参照）に登録されたファームウェア情報信号を受信可能なチャンネルから受信部１０を介して最新のファームウェアを取得することにより、テレビジョン装置１００に現在インストールされているファームウェアの更新を行うように構成されている。
【００２６】
具体的には、ＣＰＵ４０は、テレビジョン装置１００の電源３０がオフ状態で、かつ、通常動作停止状態となった後に、まず、チャンネルマップ７１（図２参照）に登録されたファームウェア情報信号を受信可能なチャンネルからファームウェア情報信号を受信部１０を介して受信することにより、ファームウェアが提供される時刻を示す時刻情報を取得するように構成されている。
【００２７】
ここで、ＣＰＵ４０は、上記チャンネルマップ７１（図２参照）に登録されたファームウェア情報信号を受信可能なチャンネルの中に時刻情報を取得できたチャンネルが複数あった場合に、それら複数のチャンネルのうち、ファームウェアの提供が開始される時刻の最も早いチャンネルを選択するように構成されている。そして、ＣＰＵ４０は、ファームウェアの提供が開始された時刻になった際に、上記ファームウェアの提供が開始される時刻の最も早いチャンネルからファームウェアを取得するように構成されている。なお、このように時刻情報が取得されてからファームウェアが提供される時刻になるまでの期間において、ＣＰＵ４０は、待機状態（ＣＰＵ４０の内部に設けられるタイマにより現在時刻の計時のみが行われている状態）となるように構成されている。
【００２８】
一方、ＣＰＵ４０は、上記チャンネルマップ７１（図２参照）に登録されたファームウェア情報信号を受信可能なチャンネルの中に時刻情報を取得できなかったチャンネルがある場合に、その時刻情報を取得できなかったチャンネルをチャンネルマップ７１から削除するように構成されている。また、ＣＰＵ４０は、上記時刻情報を取得できなかったチャンネルを削除することによってチャンネルマップ７１上にファームウェア情報信号を受信可能なチャンネルが存在しなくなった場合に、ファームウェア情報信号を受信可能なチャンネルのスキャニングを受信部１０を介して再度行うことにより、ファームウェア情報信号を受信可能なチャンネルを再度特定するように構成されている。
【００２９】
なお、上記のようにテレビジョン装置１００のファームウェアの更新が行われる期間において、電源３０はオフ状態のままであるが、必要に応じて、電源３０は受信部１０、ＣＰＵ４０およびメモリ７０に対して電力を供給する。
【００３０】
次に、図３を参照して、本発明の第１実施形態によるテレビジョン装置１００によりファームウェア情報信号を受信可能なチャンネルが特定される際におけるＣＰＵ４０の処理フローについて説明する。このファームウェア情報信号を受信可能なチャンネルの特定処理は、テレビジョン装置１００の電源３０がオン状態で、かつ、通常動作状態（テレビジョン装置１００の映像表示機能を発揮可能な状態）となっている際に実行される。
【００３１】
まず、図３に示すように、ステップＳ１において、テレビジョン放送信号を受信可能なチャンネルのスキャニングを受信部１０に行わせる処理が実行されているか否かが判断される。このステップＳ１における判断は、テレビジョン放送信号を受信可能なチャンネルのスキャニングが実行されていると判断されるまで繰り返される。なお、このようなテレビジョン放送信号を受信可能なチャンネルのスキャニングは、一般的には、テレビジョン装置１００の初期設定時に行われる。
【００３２】
次に、ステップＳ２において、ファームウェア情報信号を受信可能なチャンネルのスキャニングを受信部１０を介して行う処理が実行される。このステップＳ２におけるファームウェア情報信号を受信可能なチャンネルのスキャニングは、上記テレビジョン放送信号を受信可能なチャンネルのスキャニングと並列的に行われる。
【００３３】
次に、ステップＳ３において、上記ステップＳ２におけるファームウェア情報信号を受信可能なチャンネルのスキャニングにより、ファームウェア情報信号を受信可能なチャンネルが特定されたか否かが判断される。このステップＳ３における判断は、ファームウェア情報信号を受信可能なチャンネルが特定されるまで繰り返される。そして、ファームウェア情報信号を受信可能なチャンネルが特定された場合に、ステップＳ４に進む。
【００３４】
そして、ステップＳ４において、上記ステップＳ３の処理により特定されたファームウェア情報信号を受信可能なチャンネルを、メモリ７０に記憶されたチャンネルマップ７１（図２参照）に登録する処理が実行される。なお、このチャンネルマップ７１は、テレビジョン放送信号を受信可能なチャンネルが特定された時点、または、ファームウェア情報信号を受信可能なチャンネルが特定された時点で作成される。
【００３５】
次に、ステップＳ５において、ファームウェア情報信号を受信可能なチャンネルが全て特定されたか否かが判断される。具体的には、上記ステップＳ２におけるファームウェア情報信号を受信可能なチャンネルのスキャニングが受信部１０により受信可能な周波数帯域の全域にわたって行われたか否かが判断される。
【００３６】
ステップＳ５において、ファームウェア情報信号を受信可能なチャンネルのスキャニングがまだ完了していないと判断された場合には、上記ステップＳ２に戻る。また、ステップＳ５において、ファームウェア情報信号を受信可能なチャンネルのスキャニングが完了したと判断された場合には、処理が終了される。
【００３７】
次に、図４を参照して、本発明の第１実施形態によるテレビジョン装置１００によりファームウェアの更新が行われる際におけるＣＰＵ４０の処理フローについて説明する。このファームウェア情報信号を受信可能なチャンネルの特定処理は、テレビジョン装置１００の電源３０がオフ状態で、かつ、通常動作停止状態（テレビジョン装置１００の映像表示機能を発揮不可能な状態）となっている際に実行される。
【００３８】
まず、図４に示すように、ステップＳ１１において、チャンネルマップ７１（図２参照）に登録されたファームウェア情報信号を受信可能なチャンネルからファームウェア情報信号を受信部１０を介して受信することにより、ファームウェアが提供される時刻を示す時刻情報を取得する処理が実行される。
【００３９】
次に、ステップＳ１２において、上記ステップＳ１１の処理により、チャンネルマップ７１（図２参照）に登録されたファームウェア情報信号を受信可能なチャンネルの全てから時刻情報を取得できたか否かが判断される。このステップＳ１２において、チャンネルマップ７１に登録されたファームウェア情報信号を受信可能なチャンネルの中に時刻情報を取得できなかったチャンネルがあると判断された場合には、ステップＳ１３に進む。ステップＳ１３においては、上記ステップＳ１１の処理により時刻情報を取得できなかったチャンネルをチャンネルマップ７１から削除する処理が行われ、ステップＳ１４に進む。
【００４０】
ステップＳ１４においては、ファームウェア情報信号を受信可能なチャンネルがチャンネルマップ７１（図２参照）上に存在しているか否かが判断される。このステップＳ１４において、ファームウェア情報信号を受信可能なチャンネルがチャンネルマップ７１上に存在していないと判断された場合（上記ステップＳ１３におけるチャンネルの削除処理により、チャンネルマップ７１上のファームウェア情報信号を受信可能なチャンネルの全てが削除された場合）には、ステップＳ１５に進む。
【００４１】
ステップＳ１５においては、ファームウェア情報信号を受信可能なチャンネルを再度特定する処理が実行される。具体的には、図３に示すステップＳ２〜Ｓ５の処理と同様の処理が実行される。このステップＳ１５において特定されたチャンネルは、メモリ７０に記憶されたチャンネルマップ７１（図２参照）に登録される。そして、ステップＳ１１に戻る。
【００４２】
なお、上記ステップＳ１２においてチャンネルマップ７１に登録されたファームウェア情報信号を受信可能なチャンネルの全てから時刻情報を取得できたと判断された場合、および、上記ステップＳ１４においてファームウェア情報信号を受信可能なチャンネルがチャンネルマップ７１上に存在していると判断された場合には、ステップＳ１６に進む。
【００４３】
ステップＳ１６においては、上記ステップＳ１１の処理により時刻情報を取得できたチャンネルの中から、ファームウェアが提供される時刻の最も早いチャンネルが選択され、ステップＳ１７に進む。そして、ステップＳ１７において、ファームウェアが提供される時刻になるまでＣＰＵ４０が待機状態（ＣＰＵ４０の内部に設けられるタイマにより現在時刻の計時のみが行われている状態）とされ、ステップＳ１８に進む。
【００４４】
ステップＳ１８においては、上記ステップＳ１６の処理により選択されたチャンネルからファームウェアを受信部１０を介して取得する処理が実行される。そして、ステップＳ１９において、上記ステップＳ１８の処理により取得されたファームウェアにより現在のファームウェアが更新され、処理が終了される。
【００４５】
第１実施形態では、上記のように、ＣＰＵ４０を、電源３０がオン状態となっている際に、ファームウェア情報信号を受信可能なチャンネルを特定するように構成する。これにより、電源３０がオフ状態となった後にファームウェアを取得するチャンネルを特定するためのチャンネルのスキャニングを行う必要がないので、電源３０がオフ状態となった後にファームウェアの更新を行う際の消費電力を低減することができる。また、ＣＰＵ４０を、通常動作状態となっている際に、ファームウェア情報信号を受信可能なチャンネルを特定するように構成することによって、通常動作状態となっている際における消費電力の範囲内でファームウェア情報信号を受信可能なチャンネルを特定することができる。これにより、消費電力を増大させることなく、ファームウェアを取得可能なチャンネルを特定することができる。
【００４６】
また、第１実施形態では、上記のように、ＣＰＵ４０を、テレビジョン装置１００の電源３０がオン状態で、かつ、通常動作状態となっており、かつ、放送信号を受信可能なチャンネルのスキャニングを受信部１０を介して行う際に、放送信号を受信可能なチャンネルのスキャニングのみならず、ファームウェア情報信号を受信可能なチャンネルのスキャニングをも受信部１０を介して行うことにより、ファームウェア情報信号を受信可能なチャンネルを特定するように構成する。これにより、テレビジョン装置１００の電源３０がオン状態で、かつ、通常動作状態となっている際に放送信号を受信可能なチャンネルのスキャニングを行う受信部１０を有効に利用して、ファームウェア情報信号を受信可能なチャンネルを特定することができる。また、通常動作状態となっている際における消費電力の範囲内でファームウェア情報信号を受信可能なチャンネルを特定することができるので、消費電力を増大させることなく、ファームウェアを取得可能なチャンネルを特定することができる。
【００４７】
また、第１実施形態では、上記のように、ＣＰＵ４０を、テレビジョン装置１００の電源３０がオン状態で、かつ、通常動作状態となっている際に特定したファームウェア情報信号を受信可能なチャンネルの数が複数である場合に、複数のファームウェア情報信号を受信可能なチャンネルのうち、ファームウェアの提供が開始される時刻の最も早いチャンネルから受信部１０を介してファームウェアを取得するように構成する。これにより、ファームウェア情報信号を受信可能なチャンネルの数が複数である場合において、ファームウェアの提供が開始される時刻の最も早いチャンネルからファームウェアが取得されるので、ファームウェアの更新を行う際に、更新用のファームウェアを最も早い時刻に取得することができる。
【００４８】
また、第１実施形態では、上記のように、ＣＰＵ４０を、チャンネルマップ７１に登録されたチャンネルの中に、テレビジョン装置１００の電源３０がオフ状態で、かつ、通常動作停止状態となった後において受信部１０を介してファームウェア情報信号を受信できなかったチャンネルがある場合に、ファームウェア情報信号を受信できなかったチャンネルをチャンネルマップ７１から削除するように構成する。これにより、ファームウェア情報信号を受信できなかったチャンネルがチャンネルマップ７１から削除されるので、その後、ファームウェアの更新を行う際に、ファームウェア情報信号を受信できなかったチャンネルに改めて接続されるのを抑制することができる
【００４９】
また、第１実施形態では、上記のように、ＣＰＵ４０を、ファームウェア情報信号を受信できなかったチャンネルをチャンネルマップ７１から削除することによってチャンネルマップ７１上にファームウェア情報信号を受信可能なチャンネルが存在しなくなった場合に、ファームウェア情報信号を受信可能なチャンネルを再度特定するように構成する。これにより、チャンネルマップ７１上にファームウェア情報信号を受信可能なチャンネルが存在しなくなった場合でも、ファームウェア情報信号を受信可能なチャンネルが再度特定されるので、ファームウェアが更新できなくなるのを抑制することができる。
【００５０】
（第２実施形態）
次に、図１および図２を参照して、本発明の第２実施形態によるテレビジョン装置１００ａの構成について説明する。なお、テレビジョン装置１００ａは、本発明の「放送信号受信装置」の一例である。この第２実施形態では、テレビジョン放送信号を受信可能なチャンネルのスキャニングが行われる際にファームウェア情報信号を受信可能なチャンネルのスキャニングが行われる上記第１実施形態と異なり、受信部１０が使用されていない際にファームウェア情報信号を受信可能なチャンネルのスキャニングが行われる例について説明する。
【００５１】
本発明の第２実施形態によるテレビジョン装置１００ａは、図１に示すように、受信部１０と、外部入力部２０と、電源３０と、ＣＰＵ４０ａと、表示部５０と、映像処理部６０と、メモリ７０とを備えている。なお、ＣＰＵ４０ａは、本発明の「制御部」の一例である。
【００５２】
第２実施形態では、ＣＰＵ４０ａは、テレビジョン装置１００ａの電源３０がオン状態で、かつ、通常動作状態となっており、かつ、受信部１０が使用されていない際（たとえば、ＢＤプレーヤ３００から外部入力部２０を介して入力される映像がテレビジョン装置１００ａの表示部５０に表示再生されている際）に、ファームウェア情報信号を受信可能なチャンネルのスキャニングを受信部１０を介して行うように構成されている。これにより、ＣＰＵ４０ａは、ファームウェア情報信号を受信可能なチャンネルを特定するとともに、特定したファームウェア情報信号を受信可能なチャンネルをメモリ７０に記憶されるチャンネルマップ７１（図２参照）に登録するように構成されている。
【００５３】
そして、ＣＰＵ４０ａは、テレビジョン装置１００ａの電源３０がオフ状態で、かつ、通常動作停止状態となった後に、チャンネルマップ７１（図２参照）に登録されたファームウェア情報信号を受信可能なチャンネルから受信部１０を介して最新のファームウェアを取得することにより、テレビジョン装置１００ａに現在インストールされているファームウェアの更新を行うように構成されている。
【００５４】
なお、第２実施形態のその他の構成は、上記第１実施形態と同様である。
【００５５】
次に、図５を参照して、本発明の第２実施形態によるテレビジョン装置１００ａによりファームウェア情報信号を受信可能なチャンネルが特定される際におけるＣＰＵ４０ａの処理フローについて説明する。この第２実施形態によるファームウェア情報信号を受信可能なチャンネルの特定処理は、上記第１実施形態と同様に、テレビジョン装置１００ａの電源３０がオン状態で、かつ、通常動作状態となっている際に実行される。
【００５６】
まず、図５に示すように、ステップＳ２１において、受信部１０が使用されていないか否かの判断が行われる。このステップＳ２１における判断は、受信部１０が使用されていないと判断されるまで繰り返される。このステップＳ２１においては、たとえば、テレビジョン装置１００の外部のＢＤプレーヤ３００から外部入力部２０を介して入力される映像がテレビジョン装置１００の表示部５０に表示再生されている際に、受信部１０が使用されていないと判断される。
【００５７】
次に、ステップＳ２２において、ファームウェア情報信号を受信可能なチャンネルのスキャニングを受信部１０を介して行う処理が実行され、ステップＳ２３に進む。そして、ステップＳ２３において、上記ステップＳ２２の処理によってファームウェア情報信号を受信可能なチャンネルが特定されたか否かが判断される。このステップＳ２３における判断は、ファームウェア情報信号を受信可能なチャンネルが特定されるまで繰り返される。そして、ファームウェア情報信号を受信可能なチャンネルが特定された場合に、ステップＳ２４に進む。
【００５８】
次に、ステップＳ２４において、上記ステップＳ２３の処理により特定されたファームウェア情報信号を受信可能なチャンネルを、メモリ７０に記憶されたチャンネルマップ７１（図２参照）に登録する処理が実行される。なお、このチャンネルマップ７１は、上記ステップＳ２３の処理によりファームウェア情報信号を受信可能なチャンネルが特定された時点で作成される。
【００５９】
次に、ステップＳ２５において、ファームウェア情報信号を受信可能なチャンネルが全て特定されたか否かが判断される。具体的には、上記ステップＳ２２におけるファームウェア情報信号を受信可能なチャンネルのスキャニングが受信部１０により受信可能な周波数帯域の全体にわたって行われたか否かが判断される。このステップＳ２５において、ファームウェア情報信号を受信可能なチャンネルのスキャニングがまだ完了していないと判断された場合には、上記ステップＳ２２に戻る。また、このステップＳ２５において、ファームウェア情報信号を受信可能なチャンネルのスキャニングが完了したと判断された場合には、処理が終了される。
【００６０】
なお、図４に示すように、本発明の第２実施形態によるテレビジョン装置１００ａによりファームウェアの更新が行われる際におけるＣＰＵ４０ａの処理フローは、上記第１実施形態によるテレビジョン装置１００によりファームウェアの更新が行われる際におけるＣＰＵ４０の処理フローと同様であるので、説明を省略する。
【００６１】
第２実施形態では、上記のように、ＣＰＵ４０ａを、テレビジョン装置１００ａの電源３０がオン状態で、かつ、通常動作状態となっており、かつ、受信部１０が使用されていない際に、ファームウェア情報信号を受信可能なチャンネルのスキャニングを受信部１０を介して行うことにより、ファームウェア情報信号を受信可能なチャンネルを特定するように構成する。これにより、テレビジョン装置１００ａの電源３０がオン状態で、かつ、通常動作状態となっている際に使用されていない受信部１０を有効に利用して、ファームウェア情報信号を受信可能なチャンネルを特定することができる。また、通常動作状態となっている際における消費電力の範囲内でファームウェア情報信号を受信可能なチャンネルを特定することができるので、消費電力を増大させることなく、ファームウェアを取得可能なチャンネルを特定することができる。
【００６２】
なお、第２実施形態のその他の効果は、上記第１実施形態と同様である。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
たとえば、上記第１および第２実施形態では、本発明を放送信号受信装置としてのテレビジョン装置に適用する例を示したが、本発明はこれに限らない。本発明は、ファームウェア情報信号を受信可能な受信部が設けられていれば、テレビジョン装置以外の放送信号受信装置（たとえば、セットトップボックスや、ＢＤ（Ｂｌｕ−Ｒａｙ  Ｄｉｓｃ）プレーヤなど）にも適用可能である。
【００６５】
また、上記第１および第２実施形態では、それぞれ、テレビジョン放送信号を受信可能なチャンネルのスキャニングを行う際、および、受信部が使用されていない際に、ファームウェア情報信号を受信可能なチャンネルを特定するテレビジョン装置を示したが、本発明はこれに限らない。本発明では、電源がオン状態で、かつ、通常動作状態となっている際にファームウェア情報信号を受信可能なチャンネルを特定するテレビジョン装置（放送信号受信装置）であれば、上記２つ以外の場合にファームウェア情報信号を受信可能なチャンネルを特定するテレビジョン装置（放送信号受信装置）としてもよい。また、上記２つ両方の場合にファームウェア情報信号を受信可能なチャンネルを特定するテレビジョン装置（放送信号受信装置）としてもよい。
【００６６】
また、上記第１および第２実施形態では、ファームウェア情報信号を受信可能なチャンネルのスキャニングを受信部を介して行うことにより、ファームウェア情報信号を受信可能なチャンネルを特定するテレビジョン装置を示したが、本発明はこれに限らない。本発明では、上記チャンネルのスキャニング以外の手段により、ファームウェア情報信号を受信可能なチャンネルを特定するテレビジョン装置（放送信号受信装置）としてもよい。
【００６７】
また、上記第１および第２実施形態では、電源が１つだけ設けられているテレビジョン装置を示したが、本発明はこれに限らない。本発明では、電源が２つ（たとえば、主電源およびスタンバイ電源）設けられているテレビジョン装置（放送信号受信装置）としてもよい。
【符号の説明】
【００６８】
１００、１００ａ  テレビジョン装置（放送信号受信装置）
１０  受信部
３０  電源
４０、４０ａ  ＣＰＵ（制御部）
７０  メモリ（記憶部）
７１  チャンネルマップ
【図１】
2012191584.tif 000003
【図２】
2012191584.tif 000004
【図３】
2012191584.tif 000005
【図４】
2012191584.tif 000006
【図５】
2012191584.tif 000007